(57)【特許請求の範囲】
【請求項１】
複数の画像データを有し、複数の色のそれぞれに対応する複数の映像信号を受け付けると、前記映像信号ごとに、当該映像信号内の各画像データを補正した補正信号を出力する補正手段と、
前記補正手段から出力された複数の色のそれぞれに対応する前記補正信号を、前記複数の色ごとに順番に並び変えた駆動信号を出力する出力制御手段と、
前記出力制御手段から前記駆動信号が出力されるごとに、当該駆動信号の元になった映像信号に対応する色の光を発する照射手段と、
複数の画素を有し、前記出力制御手段から前記駆動信号が出力されるごとに、当該駆動信号内の各補正画像データを順番に、前記複数の画素のうち当該補正画像データに対応する画素に供給し、前記補正画像データが供給された複数の画素を用いて、前記照射手段からの光を変調して出力する液晶表示素子と、を含み、
前記出力制御手段は、前記駆動信号を前記液晶表示素子の複数の画素に所定の順番に供給し、
前記補正手段は、前記映像信号内の各画像データを、当該画像データを補正した補正画像データの前記複数の画素への供給の順番と、当該補正画像データに対応する画素に当該補正画像データの直後に供給される他の補正画像データの元となった他の画像データと、に基づいて補正した複数の補正画像データを有する補正信号を出力する、液晶表示装置。
【請求項２】
前記補正手段は、
前記画像データと前記他の画像データとを受け付けるごとに、前記画像データを、前記他の画像データと、前記供給の順番に従って前記液晶表示素子の画面を複数の領域に分割した領域のうち現在走査中の領域を示す対応順番と、に基づいて補正した補正データを出力する複数の色補正手段と、
前記複数の色補正手段からの複数の補正データを元に、前記供給の順番に基づいて、前記複数の補正画像データを有する補正信号を作成して出力する出力手段と、を含み、
前記複数の色補正手段のそれぞれに対応づけられた対応順番は、前記色補正手段ごとに異なるものである、請求の範囲第１項に記載の液晶表示装置。
【請求項３】
前記複数の色補正手段のそれぞれは、前記画像データおよび前記他の画像データと、前記補正データと、を互いに関連づけて格納し、前記画像データおよび前記他の画像データを受け付けると、前記補正データを出力する格納手段である、請求の範囲第２項に記載の液晶表示装置。
【請求項４】
前記複数の色補正手段は、前記対応順番が前記供給の順番のうちの最初の順番を含む前記領域である第１色補正手段と、前記対応順番が前記供給の順番のうちの最後の順番を含む前記領域である第２色補正手段と、を含む、請求の範囲第２項または第３項に記載の液晶表示装置。
【請求項５】
前記複数の色補正手段は、少なくとも、前記対応順番が前記供給の順番のうちの最初の順番を含む前記領域と前記供給の順番のうちの最後の順番を含む前記領域との間の所定の前記領域である第３色補正手段を含む、請求の範囲第２項から第４項のいずれか１項に記載に液晶表示装置。
【請求項６】
前記出力手段は、前記複数の色補正手段からの複数の補正データを元に、前記複数の補正画像データを有する前記駆動信号を、補間演算によって作成して出力する、請求の範囲第２項から第５項のいずれか１項に記載の液晶表示装置。
【請求項７】
前記複数の色補正手段のそれぞれ、および、前記出力手段は、前記映像信号ごとに設けられている、請求の範囲第２項から第６項のいずれか１項に記載の液晶表示装置。
【請求項８】
前記複数の映像信号を受け付けると、前記画像データと前記他の画像データとを、前記映像信号ごとに切り替えながら、時分割で前記複数の色補正手段に出力する切替手段をさらに含む、請求の範囲第２項から第６項のいずれか１項に記載の液晶表示装置。
【請求項９】
複数の画素を有し、複数の色のそれぞれに対応する補正信号を前記複数の色ごとに順番に並び変えた駆動信号を受け付けるごとに、当該駆動信号内の前記補正信号に含まれる各補正画像データを順番に、前記複数の画素のうち当該補正画像データに対応する画素に供給し、前記補正画像データが供給された複数の画素を用いて、当該補正信号の元になった映像信号に対応する色の光を変調して出力する液晶表示素子の駆動回路であって、
複数の画像データを有し、複数の色のそれぞれに対応する複数の映像信号を受け付けると、前記映像信号ごとに、当該映像信号内の各画像データを補正した前記補正信号を出力する補正手段と、
前記補正手段から出力された複数の色のそれぞれに対応する前記補正信号を、前記複数の色ごとに順番に並び変えた駆動信号を前記液晶表示素子に出力する出力制御手段と、を含み、
前記補正手段は、前記映像信号内の各画像データを、当該画像データを補正した補正画像データの前記複数の画素への供給の順番と、当該補正画像データに対応する画素に当該補正画像データの直後に供給される他の補正画像データの元となった他の画像データと、に基づいて補正した複数の補正画像データを有する補正信号を出力する、液晶表示素子の駆動回路。
【請求項１０】
前記補正手段は、
前記画像データと前記他の画像データとを受け付けるごとに、前記画像データを、前記他の画像データと、前記供給の順番に従って前記液晶表示素子の画面を複数の領域に分割した領域のうち現在走査中の領域を示す対応順番と、に基づいて補正した補正データを出力する複数の色補正手段と、
前記複数の色補正手段からの複数の補正データを元に、前記供給の順番に基づいて、前記複数の補正画像データを有する補正信号を作成して出力する出力手段と、を含み、
前記複数の色補正手段のそれぞれに対応づけられた対応順番は、前記色補正手段ごとに異なるものである、請求の範囲第９項に記載の液晶表示素子の駆動回路。
【請求項１１】
ＦＳＣ方式の液晶表示装置が行うカラー画像生成方法であって、
複数の画像データを有し、複数の色のそれぞれに対応する複数の映像信号を受け付けると、前記映像信号ごとに、当該映像信号内の各画像データを補正した補正信号を出力し、
複数の色のそれぞれに対応する前記複数の補正信号を、前記複数の色ごとに順番に並び変えた駆動信号を出力し、
前記駆動信号が１つずつ出力されるごとに、当該駆動信号の元になった映像信号に対応する色の光を発し、
前記出力制御手段から前記駆動信号が１つずつ出力されるごとに、当該駆動信号内の各補正画像データを順番に、複数の画素のうち当該補正画像データに対応する画素に供給し、前記補正画像データが供給された複数の画素を用いて、前記光を変調して出力し、
前記複数の補正画像データを有する補正信号を出力する際には、前記映像信号内の各画像データを、当該画像データを補正した補正画像データの前記複数の画素への供給の順番と、当該補正画像データに対応する画素に当該補正画像データの直後に供給される他の補正画像データの元となった他の画像データと、に基づいて補正した複数の補正画像データを有する補正信号を出力する、カラー画像生成方法。
【請求項１２】
前記複数の補正画像データを有する補正信号を出力する際には、
複数の色補正手段が、前記画像データと前記他の画像データとを受け付けるごとに、前記画像データを、前記他の画像データと、前記供給の順番に従って前記液晶表示素子の画面を複数の領域に分割した領域のうち現在走査中の領域を示す対応順番と、に基づいて補正した補正データを出力し、
前記複数の色補正手段からの複数の補正データを元に、前記供給の順番に基づいて、前記複数の補正画像データを有する補正信号を作成して出力し、
前記複数の色補正手段のそれぞれに対応づけられた対応順番は、前記色補正手段ごとに異なるものである、請求の範囲第１１項に記載のカラー画像生成方法。
【請求項１３】
複数の画素を有し、複数の色のそれぞれに対応する補正信号を前記複数の色ごとに順番に並び変えた駆動信号を受け付けるごとに、当該駆動信号内の前記補正信号に含まれる各補正画像データを順番に、前記複数の画素のうち当該補正画像データに対応する画素に供給し、前記補正画像データが供給された複数の画素を用いて、当該補正信号の元になった映像信号に対応する色の光を変調して出力する液晶表示素子の駆動方法であって、
複数の画像データを有し、複数の色のそれぞれに対応する複数の映像信号を受け付けると、前記映像信号ごとに、当該映像信号内の各画像データを補正した前記補正信号を出力し、
複数の色のそれぞれに対応する前記複数の補正信号を、前記複数の色ごとに順番に並び変えた駆動信号を前記液晶表示素子に出力し、
前記複数の補正画像データを有する補正信号を出力する際には、前記映像信号内の各画像データを、当該画像データを補正した補正画像データの前記複数の画素への供給の順番と、当該補正画像データに対応する画素に当該補正画像データの直後に供給される他の補正画像データの元となった他の画像データと、に基づいて補正した複数の補正画像データを有する補正信号を出力する、液晶表示素子の駆動方法。
【請求項１４】
前記複数の補正画像データを有する補正信号を出力する際には、
複数の色補正手段が、前記画像データと前記他の画像データとを受け付けるごとに、前記画像データを、前記他の画像データと、前記供給の順番に従って前記液晶表示素子の画面を複数の領域に分割した領域のうち現在走査中の領域を示す対応順番と、に基づいて補正した補正データを出力し、
前記複数の色補正手段からの複数の補正データを元に、前記供給の順番に基づいて、前記複数の補正画像データを有する補正信号を作成して出力し、
前記複数の色補正手段のそれぞれに対応づけられた対応順番は、前記色補正手段ごとに異なるものである、請求の範囲第１３項に記載の液晶表示素子の駆動方法。
【発明の詳細な説明】
【技術分野】
【０００１】
本発明は、液晶表示装置、液晶表示素子の駆動回路、カラー画像生成方法、および、液晶表示素子の駆動方法に関する。
【背景技術】
【０００２】
プロジェクタまたは直視型のディスプレイなどの液晶表示装置でのカラー表示方式として、種々の方式が知られている。【０００３】
特許文献１には、単板式のカラー液晶表示装置が記載されている。この単板式のカラー液晶表示装置は、R色（赤色）のカラーフィルターを有する画素と、G色（緑色）のカラーフィルターを有する画素と、B色（青色）のカラーフィルターを有する画素と、を有し、これらの画素を用いてカラー表示を行う。【０００４】
特許文献２には、カラー表示方式として、FSC（Field  Sequential  Color：フィールドシーケンシャルカラー）方式を採用した液晶表示装置が記載されている。【０００５】
FSC方式の液晶表示装置では、異なる色の光が、１つのモノクロの液晶表示素子に順次照射されると共に、光（色）の切り替えに同期して、液晶表示素子の表示画像が、照射光の色に応じた画像に切り替えられる。【０００６】
以下、FSC方式について説明する。【０００７】
FSC方式では、１画面を構成する１フレームの期間が、照射光の色に応じた複数のカラーフィールドの期間に分割される。【０００８】
カラーフィールドごとに、カラーフィールドの色に対応する画像が、１つのモノクロの液晶表示素子に形成され、かつ、カラーフィールドの色を有する光が、その液晶表示素子に照射される。【０００９】
液晶表示素子に照射された光は、液晶表示素子に形成された画像によって変調され出力される。【００１０】
FSC方式では、フィールドの切り替えタイミングが１フレームの期間よりも短いため、液晶表示素子から順次出力される複数の変調された光は、人間の目には、１つのカラー画像として認識される。【００１１】
FSC方式では、１フレームよりも短い期間である１フィールドごとに、液晶表示素子の表示画像を切り替える必要がある。このため、液晶表示素子には、速い応答が必要とされる。【００１２】
液晶表示素子内の各画素には、動作制御素子として、p-Si（多結晶シリコン）の  TFT（Thin  Film  Transistor）回路が形成されている場合が多い。TFT回路は、映像信号内の画像データを画素内の液晶に印加するために使用される。【００１３】
液晶表示素子内の複数の画素は、多くの場合、マトリクス状に配列されており、以下のように走査される。複数の画素は、行ごとに順番に選択される。画像データは、選択された同一行の複数の画素に対して、順番に転送される。このため、液晶表示素子内の各画素間で、画像データの転送タイミング（供給タイミング）に差が生じる。【００１４】
図１は、FSC方式での、フレームと、カラーフィールドと、画素の走査タイミングと、を説明するための説明図である。【００１５】
図１において、１フレーム（Frame）は、フィールドR（Field-R：赤色フィールド）、フィールドG（Field-G：緑色フィールド）、および、フィールドB（Field-B：青色フィールド）からなる３つのカラーフィールドに分割されている。【００１６】
液晶表示素子内のすべての画素は、各カラーフィールド内で、最上部の行から最下部の行への方向に、順番に走査される。【００１７】
多くの液晶表示装置は、次のような特徴を有する。
［１］液晶表示素子は、光学的応答（光の透過率応答）が遅い。
［２］液晶表示素子に形成されるp-Siの  TFT回路は、動作周波数が遅いゆえ、映像信号の転送に時間がかかる。
［３］画像データがTFT回路によって画素に転送されると、その画像データが、直ちに、画素内の液晶に印加される。
［４］液晶表示素子の全画素に同時に同じ色の光が照明される。
［５］光の透過率の応答特性が、黒から白への変化と、白から黒への変化とで、異なる。
［６］光の透過率の応答特性が、波長によって異なる。【００１８】
図２は、特徴［１］〜［４］に起因するFSC方式での不具合現象を説明するための説明図である。【００１９】
図２においても、１フレームは、フィールドR（Field-R）、フィールドG（Field-G）、および、フィールドB（Field-B）からなる３つのカラーフィールドに分割されている。【００２０】
フィールドRの期間内では、R色に対応する映像信号（以下「R色映像信号」と称する）が、液晶表示素子（LCD）に転送される。フィールドGの期間内では、G色に対応する映像信号（以下「G色映像信号」と称する）が、液晶表示素子に転送される。フィールドBの期間内では、B色に対応する映像信号（以下「B色映像信号」と称する）が、液晶表示素子に転送される。【００２１】
R色映像信号は、液晶表示素子の画素に１対１で対応することができるR色用の複数の画像データを含む。R色用の画像データ（以下「R色画像データ」と称する）のそれぞれは、対応する画素の画像情報（映像情報）であり、階調を示すデータである。【００２２】
G色映像信号は、液晶表示素子の画素に１対１で対応することができるG色用の複数の画像データを含む。G色用の画像データ（以下「G色画像データ」と称する）のそれぞれは、対応する画素の画像情報（映像情報）であり、階調を示すデータである。【００２３】
B色映像信号は、液晶表示素子の画素に１対１で対応することができるB色用の複数の画像データを含む。B色用の画像データ（以下「B色画像データ」と称する）のそれぞれは、対応する画素の画像情報（映像情報）であり、階調を示すデータである。【００２４】
グラフＡは、各カラーフィールドで、複数の画素のうち最初に画像データが転送される画素での光の透過率の変化を示したグラフである。【００２５】
グラフＢは、各カラーフィールドで、複数の画素のうち最後に画像データが転送される画素での光の透過率の変化を示したグラフである。【００２６】
R色LED光源点灯制御、G色LED光源点灯制御、および、B色LED光源点灯制御は、R色の光を発することができる  LED（Light  Emitting  Diode：発光ダイオード）と、G色の光を発することができる  LEDと、B色の光を発することができる  LEDと、を具備する光源（照明装置を構成する光源）を用いた、各色のLEDの発光制御である。【００２７】
LCDの光透過率は、液晶表示素子内の画素における光の透過率を示す。【００２８】
図２に示したように、グラフＡとグラフＢとは、波形は同一であるが、位相がずれている。この位相のずれは、液晶表示素子内の画素の位置、つまり、各画素への画像データの転送タイミングのずれに依存する。【００２９】
グラフＡおよびグラフＢの波形に示されたように、特徴［１］〜［３］により、各画素では、画像データが画素に転送されてから、その画素の光の透過率がその画像データに応じた光の透過率になるまで、時間がかかる。【００３０】
よって、各画素への画像データの転送タイミングのずれ、および、特徴［１］〜［３］により、光源点灯時等の所定のタイミングでの各画素の光の透過率が異なってしまう場合が生じる。【００３１】
さらに、特徴［４］が合わさることによって、各画素を通過する光の量が異なってしまう場合が生じる（斜線部ａの面積と斜線部ｂの面積が異なってしまう）。つまり、画素ごとに、明るさが異なってしまう。【００３２】
このため、FSC方式の場合、液晶表示素子の画面内位置によって、色味、階調再現性が異なってしまう。【００３３】
液晶表示装置は、画像データを更新するまで表示を保持するように働く、いわゆるホールド型である。【００３４】
画像データを更新する周期に対して画素を光らせる時間が短いインパルス型と比べ、ホールド型は動画品質が悪いといわれている。その改善策として、画像データの更新周期を短くすることが知られている。【００３５】
しかしながら、特徴［１］〜［４］によって、画像データの更新周期を短くするほど、液晶表示素子の画面内位置によって、階調再現性の差異が大きくなってしまう。【００３６】
特許文献３および４には、各画素への画像データの転送タイミングのずれと特徴［１］〜［４］とに起因する階調再現性の不具合を改善することが可能なFSC方式の液晶表示装置が記載されている。【００３７】
特許文献３に記載のFSC方式の液晶表示装置、および、特許文献４に記載のFSC方式の液晶表示装置では、すべての画素に同じ輝度を表示させる映像信号を印加した場合に、光が照射されるときの各画素での光の透過率が等しくなるように、各画素に転送される画像データが補正される。【００３８】
なお、特許文献３および４には、ある色に対応する画像データ（映像信号）を補正する際に、他の色に対応する画像データ（映像信号）を用いる旨の記載はない。【００３９】
特徴［５］は、液晶の応答特性が印加電界によって異なることに起因する。【００４０】
例えば、TN（Twisted  Nematic）モード液晶の場合、印加電界を強めて液晶の向きを変化させるときと、印加電界を弱めて液晶の粘弾性によって液晶の向きを変化させるときとでは、後者の方が、液晶の応答特性が遅い。【００４１】
このため、液晶表示素子がノーマリホワイトの構造の場合、白から黒への変化より、黒から白への変化の方が遅い。このことから、液晶表示素子がノーマリホワイトの構造の場合、特に、暗い画像から明るい画像に変化する際に、動画品質が悪くなる。一方、液晶表示素子がノーマリブラックの構造の場合、特に明るい画像から暗い画像に変化する際に、動画品質が悪くなる。【００４２】
また、特徴［５］は、FSC方式では、静止画の品質も悪くする。【００４３】
例えば、FSC方式では、液晶表示素子がノーマリホワイトの場合は、原色の単色は明るくならず、液晶表示素子がノーマリブラックの場合は、原色単色の補色は白っぽくなってしまう。また、FSC方式では、有彩色の表示を行う場合、表示色によっては再現困難になってしまう。【００４４】
液晶表示素子には、  TNモード、  IPS（In-Plane  Switching）モード、  VA（Vertically  Aligned）モード、  OCB（Optically  Compensated  Bend）モード、といった液晶モードがある。いずれの場合でも、印加電界によって液晶の向き（ダイレクタ）を変えて複屈折の程度を制御し、液晶内を通過する光の偏光状態が変化させられる。【００４５】
偏光状態の変化の度合いは、光の波長に依存する。したがって、特徴［６］が生じる。特徴［６］が、色再現性をさらに悪化させる要因になる。【００４６】
特許文献５には、FSC方式でカラー画像の生成を行い、かつ、色ごとに設けられたレベル補正回路が自回路に対応する色の映像信号を補正する、液晶表示装置が記載されている。【００４７】
このレベル補正回路は、光の透過率の応答特性が波長によって異なること、つまり、特徴［６］を補正するために、自己に対応する色の映像信号を補正する。【００４８】
具体的には、特許文献５に記載の液晶表示装置は、レベル補正回路３２Ｒ、３２Ｇおよび３２Ｂを有する。レベル補正回路３２Ｒは、赤色用映像信号を受け付け、赤色用映像信号を、赤色の応答特性に応じて補正する。レベル補正回路３２Ｇは、緑色用映像信号を受け付け、緑色用映像信号を、緑色の応答特性に応じて補正する。レベル補正回路３２Ｂは、青色用映像信号を受け付け、青色用映像信号を、青色の応答特性に応じて補正する。【００４９】
液晶表示装置は、各画素を、順次に制御する。よって、ある画素に注目すると、その画素は、所定の周期の一部の期間しかアクセスされない。その一部の期間に、液晶を制御する電圧Ｖが、画素に印加される。【００５０】
画素は、容量成分Ｃを有する。このため、画素に制御電圧Ｖを印加することによって、画素電極に、制御電圧Ｖに応じた電荷Ｑが供給される。【００５１】
一般的に次式が成り立つ。【００５２】
Ｑ＝Ｃ×Ｖ  ．．．式［１］
画素の容量Ｃは、画素の液晶の向き（ダイレクタ）によって変化するという性質を持つ。【００５３】
もし、液晶の向きの変化が落ち着くまで電圧をかけ続けられる場合、容量が変化すると電荷が供給される。【００５４】
ところが、画素にアクセスした期間内に液晶の向きの変化が収束しない場合、電荷の供給が途絶えた後の液晶の向きの変化によって、容量が変化する。したがって、画素内の液晶にかかる電圧が、アクセス時点に印加した電圧から変化してしまう。【００５５】
一回のアクセスで、所望の電荷量を供給できないという課題を解決する方法として、いわゆる、オーバードライブ、という方法が知られている（特許文献６、７参照）。【００５６】
オーバードライブは、ダイレクタを、どの状態からどの状態へ変化させるかに応じて、所望のダイレクタの状態になったときの電圧とは異なる過度の電圧を画素に印加することによって、所望の電荷量を画素に供給する方法である。【００５７】
また、オーバードライブは、液晶の応答の遅さに起因する不具合、つまり、特徴［１］に起因する不具合を改善するという側面もある。【００５８】
特許文献６および７で述べられているオーバードライブは、あるフレームの映像信号を、その直前のフレームの映像信号を用いて補正する技術である。つまり、特許文献６および７には、FCS方式と異なる液晶表示装置でオーバードライブを適用する技術が記載されている。【００５９】
また、特許文献７には、オーバードライブによる映像信号の補正の程度を、その映像信号が転送される画素の表示画面での位置に応じて変更する液晶表示装置が記載されている。【００６０】
この液晶表示装置では、マトリクス状に配列された複数の画素が、最上部の行から最下部の行への方向に順番に１行ずつ走査され、選択された行の画素に対して、画像データが順番に転送される。【００６１】
この液晶表示装置は、注視されやすい表示画面の中央部に位置する画素に転送される画像データについては、表示画面の端部に位置する画素に転送される画像データよりも、オーバードライブによる補正の程度を大きくする。【００６２】
また、特許文献７には、オーバードライブを適用した３板式のカラー液晶表示装置が記載されている。【００６３】
図３は、オーバードライブを適用した３板式のカラー液晶表示装置１００を示したブロック図である。【００６４】
図３において、３板式のカラー液晶表示装置１００は、R色用フレームメモリ１０１Ｒと、G色用フレームメモリ１０１Ｇと、B色用フレームメモリ１０１Ｂと、R色用オーバードライブ制御部１０２Ｒと、G色用オーバードライブ制御部１０２Ｇと、B色用オーバードライブ制御部１０２Ｂと、R色用液晶表示素子１０３Ｒと、G色用液晶表示素子１０３Ｇと、B色用液晶表示素子１０３Ｂと、を含む。【００６５】
R色用フレームメモリ１０１Ｒと、R色用オーバードライブ制御部１０２Ｒと、R色用液晶表示素子１０３Ｒとは、R色系統の機器である。G色用フレームメモリ１０１Ｇと、G色用オーバードライブ制御部１０２Ｇと、G色用液晶表示素子１０３Ｇとは、G色系統の機器である。B色用フレームメモリ１０１Ｂと、B色用オーバードライブ制御部１０２Ｂと、B色用液晶表示素子１０３Ｂとは、B色系統の機器である。【００６６】
R色用液晶表示素子１０３Ｒは、R色に対応する画像を表示する。G色用液晶表示素子１０３Ｇは、G色に対応する画像を表示する。B色用液晶表示素子１０３Ｂは、B色に対応する画像を表示する。【００６７】
オーバードライブでは、液晶ダイレクタの目的状態と開始状態に応じて、画素への印加電圧（補正信号）が制御される。【００６８】
このため、各オーバードライブ制御部１０２Ｒ、１０２Ｇおよび１０２Ｂは、これから表示しようとする自フレームの映像信号と、同系統のフレームメモリから読み出した前フレームの映像信号と、を入力して、同系統の液晶表示素子を駆動する補正信号を生成する。【００６９】
どの画素に注目しても、その画素は、１つの色に対応する画像を表示し、常に、同一の光の照明光を受ける。３板式のカラー液晶表示装置１００は、映像更新周期であるフレーム間の液晶ダイレクタの状態遷移に応じて、オーバードライブすることになる。
【特許文献１】特開２０００−３３００８４号公報
【特許文献２】特開２００６−２３５４４３号公報
【特許文献３】特開２００４−６１６７０号公報
【特許文献４】特開２００８−１６５２３３号公報
【特許文献５】特開２００２−１４８５８４号公報
【特許文献６】特開２００２−３５１４０９号公報
【特許文献７】特開２００７−１９９４１８号公報
【発明の開示】
【発明が解決しようとする課題】
【００７０】
特許文献６および７には、オーバードライブについての記載はあるが、FSC方式の液晶表示装置でオーバードライブを用いる旨の記載はない。【００７１】
FSC方式の液晶表示装置で特許文献６または７に示されたようなオーバードライブを適用する場合、ある画素に注目すると、その画素が表示する色は一つではないため、色の切り替え周期であるフィールドの切り替え時の液晶ダイレクタの状態遷移に応じて、オーバードライブが行われることになる。【００７２】
したがって、FSC方式の液晶表示装置でオーバードライブを適用する場合、ある色の映像信号を補正するために、他の色の映像信号を用いる必要がある。【００７３】
特許文献３および４には、すべての画素に同じ輝度を表示させる映像信号を印加した場合に、光が照射されるときの各画素での光の透過率が等しくなるように、各画素に転送される画像データを補正するFSC方式の液晶表示装置は記載されているが、ある色に対応する映像信号（画像データ）を補正する際に、他の色に対応する映像信号（画像データ）を用いる旨の記載はない。【００７４】
このため、特許文献３または４に記載された画像データの補正技術は、FSC方式の液晶表示装置でのオーバードライブ用の補正技術として使用できない。【００７５】
また、特許文献５に記載のレベル補正回路、具体的には、自回路に対応する色の映像信号のみを受け付け、その色の映像信号を補正するレベル補正回路も、FSC方式の液晶表示装置でのオーバードライブ用の補正回路として使用できない。【００７６】
特許文献１には、単板式のカラー液晶表示装置が記載されているが、FSC方式の液晶表示装置は記載されていない。【００７７】
特許文献２には、FSC方式の液晶表示装置は記載されているが、ある色に対応する映像信号（画像データ）を補正する際に、他の色に対応する映像信号（画像データ）を用いる旨の記載はない。【００７８】
なお、FSC方式の液晶表示装置でオーバードライブを適用した場合にも、各画素への画像データの転送タイミングのずれと液晶の応答の遅さとに起因する階調再現性の不具合が発生すると考えられる。【００７９】
このため、FSC方式の液晶表示装置でオーバードライブを適用した場合に、各画素への画像データの転送タイミングのずれと液晶の応答の遅さとに起因する階調再現性の不具合が発生するという課題が生じる。【００８０】
なお、特許文献１〜７のいずれにも、この課題が生じるための前提となる技術、具体的には、FSC方式の液晶表示装置でオーバードライブを適用する技術が記載されていない。【００８１】
このため、特許文献１〜７に記載の技術では、当然のことながら、上記課題、具体的には、FSC方式の液晶表示装置でオーバードライブを適用した場合に、各画素への画像データの転送タイミングのずれと液晶の応答の遅さとに起因する階調再現性の不具合が発生するという課題は解決されていない。【００８２】
本発明の目的は、上述した課題を解決可能な、液晶表示装置、液晶表示素子の駆動回路、カラー画像生成方法、および、液晶表示素子の駆動方法を提供することにある。
【課題を解決するための手段】
【００８３】
本発明による液晶表示装置は、複数の色に対応し複数の画像データを有する複数の映像信号を受け付けると、前記映像信号ごとに、当該映像信号内の各画像データを補正した複数の補正画像データを有する補正信号を出力する補正手段と、前記補正手段から出力された複数の補正信号を、１つずつ順番に出力する出力制御手段と、前記出力制御手段から前記補正信号が出力されるごとに、当該補正信号の元になった映像信号に対応する色の光を発する照射手段と、複数の画素を有し、前記出力制御手段から前記補正信号が出力されるごとに、当該補正信号内の各補正画像データを順番に、前記複数の画素のうち当該補正画像データに対応する画素に供給し、前記補正画像データが供給された複数の画素を用いて、前記照射手段からの光を変調して出力する液晶表示素子と、を含み、前記補正手段は、前記映像信号内の各画像データを、当該画像データを補正した補正画像データの前記液晶表示素子での供給の順番と、当該補正画像データに対応する画素に当該補正画像データの直前または直後に供給される他の補正画像データの元となった他の画像データと、に基づいて補正した複数の補正画像データを有する補正信号を出力する。【００８４】
本発明による駆動回路は、複数の画素を有し、複数の補正画像データを有する補正信号を受け付けるごとに、当該補正信号内の各補正画像データを順番に、前記複数の画素のうち当該補正画像データに対応する画素に供給し、前記補正画像データが供給された複数の画素を用いて、当該補正信号の元になった映像信号に対応する色の光を変調して出力する液晶表示素子の駆動回路であって、複数の色に対応し複数の画像データを有する複数の映像信号を受け付けると、前記映像信号ごとに、当該映像信号内の各画像データを補正した複数の補正画像データを有する補正信号を出力する補正手段と、前記補正手段から出力された複数の補正信号を、１つずつ順番に前記液晶表示素子に出力する出力制御手段と、を含み、前記補正手段は、前記映像信号内の各画像データを、当該画像データを補正した補正画像データの前記液晶表示素子での供給の順番と、当該補正画像データに対応する画素に当該補正画像データの直前または直後に供給される他の補正画像データの元となった他の画像データと、に基づいて補正した複数の補正画像データを有する補正信号を出力する。【００８５】
本発明によるカラー画像生成方法は、ＦＳＣ方式の液晶表示装置が行うカラー画像生成方法であって、複数の色に対応し複数の画像データを有する複数の映像信号を受け付けると、前記映像信号ごとに、当該映像信号内の各画像データを補正した複数の補正画像データを有する補正信号を出力し、前記複数の補正信号を、１つずつ順番に出力し、前記補正信号が１つずつ出力されるごとに、当該補正信号の元になった映像信号に対応する色の光を発し、前記出力制御手段から前記補正信号が１つずつ出力されるごとに、当該補正信号内の各補正画像データを順番に、複数の画素のうち当該補正画像データに対応する画素に供給し、前記補正画像データが供給された複数の画素を用いて、前記光を変調して出力し、前記複数の補正画像データを有する補正信号を出力する際には、前記映像信号内の各画像データを、当該画像データを補正した補正画像データの前記複数の画素への供給の順番と、当該補正画像データに対応する画素に当該補正画像データの直前または直後に供給される他の補正画像データの元となった他の画像データと、に基づいて補正した複数の補正画像データを有する補正信号を出力する。【００８６】
本発明による駆動方法は、複数の画素を有し、複数の補正画像データを有する補正信号を受け付けるごとに、当該補正信号内の各補正画像データを順番に、前記複数の画素のうち当該補正画像データに対応する画素に供給し、前記補正画像データが供給された複数の画素を用いて、当該補正信号の元になった映像信号に対応する色の光を変調して出力する液晶表示素子の駆動方法であって、複数の色に対応し複数の画像データを有する複数の映像信号を受け付けると、前記映像信号ごとに、当該映像信号内の各画像データを補正した複数の補正画像データを有する補正信号を出力し、前記複数の補正信号を、１つずつ順番に前記液晶表示素子に出力し、前記複数の補正画像データを有する補正信号を出力する際には、前記映像信号内の各画像データを、当該画像データを補正した補正画像データの前記液晶表示素子での供給の順番と、当該補正画像データに対応する画素に当該補正画像データの直前または直後に供給される他の補正画像データの元となった他の画像データと、に基づいて補正した複数の補正画像データを有する補正信号を出力する。
【発明の効果】
【００８７】
本発明によれば、FSC方式の液晶表示装置において、画面内位置による階調再現性の差異および色再現性の差異を低減することができる。
【図面の簡単な説明】
【００８８】
【図１】FSC方式での、フレームと、カラーフィールドと、画素の走査タイミングと、を説明するための説明図である。
【図２】FSC方式での不具合現象を説明するための説明図である。
【図３】オーバードライブを適用した３板式のカラー液晶表示装置１００を示したブロック図である。
【図４】本発明の第１の実施の形態の液晶表示装置１を示したブロック図である。
【図５】液晶表示素子２の一例を示した説明図である。
【図６】補正部３の一例を示したブロック図である。
【図７】画面内位置と補正動作との関係を説明するための説明図である。
【図８】補正部３１を示したブロック図である。
【図９】画面内位置と補正動作との関係を説明するための説明図である。
【図１０】補正部３２を示したブロック図である。
【図１１】G色補正部３Ｇ４を示したブロック図である。
【図１２】画面内位置と補正動作との関係を説明するための説明図である。
【図１３】補正部３３を示したブロック図である。
【図１４】画面内位置と補正動作との関係を説明するための説明図である。
【符号の説明】
【００８９】
１  液晶表示装置
２  液晶表示素子
２ａ  画素
２ｂ  ゲートドライバ
２ｃ  ソースドライバ
２ｄ  走査線
２ｅ  データ線
２ｆ  コモン線
２ｇ  画面
３、３１、３２、３３  補正部
３Ｒ１、３Ｒ２、３Ｒ３  R色補正部
３Ｇ１、３Ｇ２、３Ｇ３  G色補正部
３Ｂ１、３Ｂ２、３Ｂ３  B色補正部
３Ｇ１ａ〜３Ｇ１ｃ、３Ｇ２ａ〜３Ｇ２ｂ、３Ｇ３ａ〜３Ｇ３ｂ、３Ｇ４ａ〜３Ｇ４ｃ  LUT格納部
３Ｇ１ｄ  選択回路
３Ｇ２ｃ  補間演算部
３Ｇ２ｄ  係数生成部
３Ｇ２ｅ、３Ｇ２ｆ  乗算器
３Ｇ２ｇ  加算器
３Ｇ４ｅ、３Ｇ４ｆ  選択回路
３Ｇ４ｇ  選択回路制御部
３Ｇ４ｈ  出力部
３３ａ、３３ｂ  時分割多重回路
３３ｃ  多色補正部
３３ｄ  デマルチプレクサ
３３ｅ  切替部
【発明を実施するための最良の形態】
【００９０】
以下、本発明の実施の形態について図面を参照して詳細に説明する。【００９１】
［第１の実施の形態］
図４は、本発明の第１の実施の形態の液晶表示装置１を示したブロック図である。【００９２】
図４において、液晶表示装置１は、液晶表示素子２と、補正部３と、データ並べ替え部４と、照射部５と、を含む。データ並べ替え部４は、フレームメモリ（Frame  Memory）４ａと、メモリ制御部４ｂと、を含む。照射部５は、照明部５ａと、タイミング制御部５ｂと、を含む。【００９３】
液晶表示装置１は、複数の色のそれぞれに１対１で対応する複数の映像信号（以下、単に「複数の映像信号」と称する）を受け付ける。【００９４】
液晶表示装置１は、複数の映像信号に対応する複数の色の画像を順番に表示することにより、カラー画像を表示するＦＳＣ方式の液晶表示装置である。【００９５】
各映像信号は、複数の画像データを有する。映像信号内の各画像データは、液晶表示素子２内の複数の画素のそれぞれに対応する。このため、本実施形態では、映像信号内の各画像データの配列の順番は、液晶表示素子２内の複数の画素への供給の順番に対応づけられる。【００９６】
液晶表示素子２は、複数の画素を有する。液晶表示素子２は、駆動信号を受け付けると、複数の画素を用いて、その駆動信号に応じて、自己に照射された光を変調し、画像を形成する光を出力する。【００９７】
なお、液晶表示装置１がプロジェクタ（投写型表示装置）である場合、液晶表示素子２にて変調されて出力された光は、投写光学系（不図示）によって拡大され、スクリーン（不図示）に投写される。また、液晶表示装置１が直視型表示装置である場合、液晶表示素子２にて変調されて出力された光は、使用者の目に到達する。【００９８】
図５は、液晶表示素子２の一例を示した説明図である。【００９９】
図５において、液晶表示素子２は、複数の画素２ａと、ゲートドライバ２ｂと、ソースドライバ２ｃと、複数の走査線２ｄと、複数のデータ線２ｅと、コモン線２ｆと、を含む。【０１００】
複数の画素２ａは、マトリクス状に配列されている。各画素２ａは、TFT回路２ａ１と、液晶容量２ａ２と、を有する。液晶容量２ａ２は、対向電極の間に液晶が介在する構成を有する。【０１０１】
各TFT回路２ａ１のドレインは、TFT回路２ａ１が属する画素２ａに存在する液晶容量２ａ２の一端に接続されている。液晶容量２ａ２の他端は、コモン線２ｆに接続されている。コモン線２ｆには、コモン電圧が供給される。【０１０２】
同一行に存在するTFT回路２ａ１のゲートは、共通の走査線２ｄに接続されている。各走査線２ｄは、ゲートドライバ２ｂに接続されている。【０１０３】
ゲートドライバ２ｂは、出力フィールド同期タイミングに同期した垂直同期信号に応じてフィールドごとにおける垂直走査（走査線の選択）を開始し、水平同期信号に応じて、走査線２ｄを順番に１つずつ選択し、選択された走査線２ｄにゲート駆動信号を供給する。【０１０４】
同一列に存在するTFT回路２ａ１のソースは、共通のデータ線２ｅに接続されている。各データ線２ｅは、ソースドライバ２ｃに接続されている。【０１０５】
ソースドライバ２ｃは、水平同期信号に応じて走査線ごとにおける水平走査（データ線の選択）を開始し、転送クロック信号に応じて、データ線２ｅを順番に選択する。【０１０６】
ソースドライバ２ｃは、選択されたデータ線２ｅと選択された走査線２ｄとによって特定される画素２ａに対応する画像データ（本実施形態では、その画像データを補正した補正画像データ）を、選択されたデータ線２ｅに供給する。【０１０７】
TFT回路２ａ１のゲートにゲート駆動信号が供給されると、TFT回路２ａ１のソースに供給された補正画像データが、TFT回路２ａ１のドレインを介して、液晶容量２ａ２に供給される。このため、選択されたデータ線２ｅと選択された走査線２ｄとによって特定される画素２ａには、TFT回路２ａ１を介して、対応する補正画像データが供給される。【０１０８】
複数の走査線２ｄと複数のデータ線２ｅとは、互いに電気的な絶縁を保ちつつ配列されている。【０１０９】
ゲートドライバ２ｂとソースドライバ２ｃは、タイミング制御部５ｂから供給される出力フィールドの同期タイミングを示すタイミング信号（垂直同期信号）、水平同期信号および転送クロック信号等に基づいて動作する。なお、この動作は、公知技術であるため、その詳細な説明は省略する。【０１１０】
図４に戻って、補正部３は、一般的に補正手段と呼ぶことができる。【０１１１】
補正部３は、入力フレームの同期タイミングを示すタイミング信号に同期した複数の色の映像信号を入力し、複数の色のそれぞれに１対１で対応する複数の補正信号を出力する。【０１１２】
本実施形態では、補正部３は、１フレーム期間ごとに発生するタイミング信号を受け付けるたびに、複数の映像信号を受け付け、その複数の映像信号のそれぞれに１対１で対応する複数の補正信号を出力する。【０１１３】
本実施形態では、補正部３は、複数の映像信号を受け付けると、映像信号ごとに、その映像信号内の各画像データを補正した複数の補正画像データを有する補正信号を出力する。【０１１４】
補正信号内の各補正画像データは、その補正画像データの元になった画像データと対応する。各画像データは、液晶表示素子２内の複数の画素２ａのそれぞれに対応するため、補正信号内の各補正画像データも、液晶表示素子２内の複数の画素２ａのそれぞれに対応する。【０１１５】
また、補正信号内の各補正画像データのそれぞれは、対応する画素に供給される。このため、本実施形態では、補正信号内の各補正画像データの配列の順番は、液晶表示素子２内の複数の画素２ａへの供給の順番に対応づけられる。【０１１６】
本実施形態では、補正部３は、複数の映像信号として、赤色に対応するR色映像信号と、緑色に対応するG色映像信号と、青色に対応するB色映像信号と、を受け付ける。【０１１７】
また、補正部３は、複数の補正信号として、赤色に対応するR色補正信号と、緑色に対応するG色補正信号と、青色に対応するB色補正信号と、を出力する。補正部３は、R色映像信号を元にしてR色補正信号を生成し、G色映像信号を元にしてG色補正信号を生成し、B色映像信号を元にしてB色補正信号を生成する。【０１１８】
データ並べ替え部４は、一般的に出力制御手段と呼ぶことができる。【０１１９】
データ並べ替え部４は、補正部３が出力した複数の補正信号を、１つずつ順番に、駆動信号として、液晶表示素子２に出力する。【０１２０】
本実施形態では、データ並べ替え部４は、R色補正信号とG色補正信号とB色補正信号を、R色補正信号、G色補正信号、B色補正信号の順番で、駆動信号として、液晶表示素子２に出力する。なお、この順番は適宜変更可能である。【０１２１】
フレームメモリ４ａは、映像信号として機能する複数の補正信号を並べ替えるためのバッファとして用いられる。【０１２２】
メモリ制御部４ｂは、補正部３が出力した複数の補正信号を、フレームメモリ４ａ上で、液晶表示素子２への出力順に並べ替える。【０１２３】
本実施形態では、メモリ制御部４ｂは、R色補正信号とG色補正信号とB色補正信号とを、フレームメモリ４ａ上で、R色補正信号、G色補正信号、B色補正信号の順に並べ替える。【０１２４】
メモリ制御部４ｂは、フレームメモリ４ａ上の、R色補正信号、G色補正信号およびB色補正信号を、その並び順で、１つずつ順番に、駆動信号として、液晶表示素子２に出力する。【０１２５】
照射部５は、一般的に照射手段と呼ぶことができる。【０１２６】
照射部５は、補正部３から出力された複数の補正信号のいずれかが、駆動信号として液晶表示素子２へ出力されるごとに、液晶表示素子２へ出力された補正信号の元になった映像信号に対応する色の光を、液晶表示素子２に照射する。ただし、照射部５は、光を照射するタイミング（期間と位相）を、液晶表示素子２に駆動信号が出力されてからの光透過率の応答の程度を考慮して調整する。【０１２７】
照明部５ａは、赤色の光を発するR色LEDと、緑色の光を発するG色LEDと、青色の光を発するB色LEDと、を含む。【０１２８】
タイミング制御部５ｂは、入力フレームの同期タイミング（以下「入力フレーム同期タイミング」と称する）を示すタイミング信号を入力し、１フレーム期間を３つのカラーフィールド期間に分割した出力フィールドの同期タイミング（以下「出力フィールド同期タイミング」と称する）を示すタイミング信号を生成する。なお、本実施形態では、入力フレーム同期タイミングと出力フィールド同期タイミングとは同期しているが、非同期であってもかまわない。【０１２９】
また、タイミング制御部５ｂは、出力フィールド同期タイミングに同期した垂直同期信号、水平同期信号および転送クロック信号を生成し、それら垂直同期信号、水平同期信号および転送クロック信号を、液晶表示素子２に供給する。【０１３０】
データ並べ替え部４では、タイミング制御部５ｂからの２系統のタイミング信号（入力フレーム同期タイミングを示すタイミング信号と出力フィールド同期タイミングを示すタイミング信号）によって、メモリ制御部４ｂは、入力フレーム同期タイミングに同期してフレームメモリ４ａへの書込みを制御し、出力フィールド同期タイミングに同期してフレームメモリ４ａからの読出しを制御する。そして、メモリ制御部４ｂは、フレームメモリ４ａ上の、R色補正信号、G色補正信号およびB色補正信号を、その並び順で、１つずつ順番に、駆動信号として、液晶表示素子２に出力する。【０１３１】
液晶表示素子２は、タイミング制御部５ｂからのタイミング信号によって、出力フィールド同期タイミングに同期してデータ並べ替え部４から順次出力されたR色補正信号、G色補正信号およびB色補正信号を順次入力する。【０１３２】
そして、液晶表示素子２は、各色の補正信号（駆動信号）を受け付けるごとに、タイミング制御部５ｂからの垂直同期信号、水平同期信号および転送クロック信号に同期して、その補正信号内の各補正画像データを、その補正画像データに対応する画素２ａに順番に供給して、各画素２ａの液晶の向き（ダイレクタ）を制御し、色ごとに順次に照射された各色光を、補正画像データの供給によって液晶の向きが制御された複数の画素２ａを用いて変調して、各色の画像を形成する光を順次生成する。【０１３３】
照明部５ａは、タイミング制御部５ｂからのタイミング信号によって、出力フィールド同期タイミングに同期して、R色LEDと、G色LEDと、B色LEDとを、この順番で１つずつ点灯する。【０１３４】
このため、本実施形態では、液晶表示装置１は、以下のように動作する。【０１３５】
液晶表示素子２がR色補正信号に応じた画像を形成している際に、照明部５ａが、R色LEDを点灯して液晶表示素子２をR色の光で照射する。【０１３６】
その後、液晶表示素子２がG色補正信号に応じた画像を形成している際に、照明部５ａが、G色LEDを点灯して液晶表示素子２をG色の光で照射する。【０１３７】
その後、液晶表示素子２がB色補正信号に応じた画像を形成している際に、照明部５ａが、B色LEDを点灯して液晶表示素子２をB色の光で照射する。【０１３８】
ここで、補正部３について説明する。【０１３９】
補正部３は、映像信号内の各画像データを、その画像データを補正した補正画像データの液晶表示素子２での供給の順番（以下、単に「供給の順番」と称する）と、その補正画像データに対応する画素にその補正画像データの直前または直後に供給される他の補正画像データの元となった他の画像データ（以下、単に「他の画像データ」と称する）と、に基づいて補正した複数の補正画像データを有する補正信号を出力する。【０１４０】
つまり、補正部３は、映像信号内の各画像データを、供給の順番と他の画像データとに基づいて補正した複数の補正画像データを有する補正信号を、映像信号ごとに出力する。【０１４１】
補正部３の働きは、FSC方式に起因する階調再現性および色再現性の低下を改善することと、画面内位置による階調再現性および色再現性の差異を低減すること、の２つである。【０１４２】
まず、FSC方式に起因する階調再現性および色再現性の低下を改善するための補正について説明する。補正部３では、この補正を行うために、他の画像データが用いられる。【０１４３】
図１および図２で示したように、FSC方式においては、液晶ダイレクタの変化は、カラーフィールド間の映像信号の変化がきっかけになる。したがって、オーバードライブを行うために参照するデータは、前フィールドの色に対応する映像信号になる。【０１４４】
液晶表示装置１では、FSC方式での色の表示順（カラーシーケンス）がR，G，Bである。この場合、G色映像信号と、G色映像信号の前フィールドのR色映像信号とが、G色映像信号を補正するために用いられる。さらには、前々フィールドのB色映像信号が用いられてもよい。なお、特に断りが無い限り、以降は、FSC方式での色の表示順（カラーシーケンス）がR，G，Bである場合について説明する。【０１４５】
FSC方式でオーバードライブを実現するためには、図３に示したような同時加法混色を利用したカラー表示方式の３板式投写型液晶表示装置や並置（併置）加法混色を利用したカラー表示方式の直視型液晶表示装置において必要であったフレームメモリは、必ずしも必要ではない。【０１４６】
同時加法混色を利用したカラー表示方式の液晶表示装置とは、R色、G色およびB色のそれぞれを別々に変調する３つの液晶表示素子を有し、各色の変調された画像光を重ねて表示する液晶表示装置である。プロジェクタ等の投写型液晶表示装置は、このタイプが一般的であり、いわゆる３板式と呼ばれている。【０１４７】
並置（併置）加法混色を利用したカラー表示方式の液晶表示装置とは、R色、G色およびB色のカラーフィルターを有するサブ画素（サブピクセル）を近接配置してカラー表示する画素を、複数有する液晶表示装置である。【０１４８】
あるフィールドの液晶ダイレクタの状態は、前フィールドの液晶ダイレクタの状態から影響を受け、次フィールドの液晶ダイレクタの状態へ影響する。本実施形態では、G色のフィールドからみれば、B色のフィールドは、前々フィールドでもあり、次フィールドでもある。したがって、G色映像信号を補正することによって、次フィールドのB色の階調再現性を改善することができる。【０１４９】
例えば、G色映像信号の階調レベルが５０%でB色映像信号の階調レベルが８０%の状況で、補正部３内のG色補正信号を設定する際、G色補正信号の階調レベルを、B色映像信号の階調レベル８０%（さらに言えば、G色映像信号の階調レベルとB色映像信号の階調レベルとの差）に基づいて、G色映像信号の階調レベル５０%よりも過度の６０%に設定すれば、B色フィールドでの液晶ダイレクタの状態を、より速く所望の状態に近づけることができ、B色の階調再現性を改善することができる。【０１５０】
また、例えば、G色映像信号の階調レベルが５０%でB色映像信号の階調レベルが２０%の状況で、補正部３内のG色補正信号を設定する際、G色補正信号の階調レベルを、B色映像信号の階調レベル２０%からみて、G色映像信号の階調レベル５０%よりも過度のレベルの４０%に設定すれば、B色フィールドでの液晶ダイレクタの状態を、より速く所望の状態に近づけることができ、B色の階調再現性を改善することができる。【０１５１】
これらの補正は、従来のオーバードライブとは似ているが異なるものである。【０１５２】
従来のオーバードライブは、前フィールド（３板式においては前フレーム）の画像データを用いて自フィールド（３板式においては自フレーム）の画像データを補正して過度の電圧を印加する技術であるので、改善対象である自フィールドの映像信号内の画像データの階調レベルが１００%または０%の場合は、階調再現性を改善することができない。【０１５３】
一方、次フィールドの色の映像信号を用いて自フィールドの色の映像信号内の画像データを補正する方法は、改善対象である次フィールドの色の映像信号内の画像データの階調レベルが１００%または０%であっても、階調再現性および色再現性を改善することができる。【０１５４】
次に、画面内位置による階調再現性および色再現性の差異を低減するための補正について説明する。補正部３では、この補正を行うために、液晶表示素子２での補正画像データの供給の順番が用いられる。【０１５５】
各画素２ａへの補正画像データの供給タイミングのずれと液晶の応答の遅さとに起因して、図２に示したようにグラフＡとグラフＢとの間に位相差が生じる。【０１５６】
光が照射されるタイミングで、この位相差を少なくするためには、補正画像データの供給タイミングが遅い画素ほど、補正画像データが供給されてから、画素の光透過率がその画像データに応じた光透過率になるまでの時間が短くなるように、各画像データを補正した補正画像データを、補正部３が出力すればよい。つまり、補正部３は、各画素２ａへの画像データの供給タイミング（供給の順番）に基づいて、各画像データを補正すればよい。【０１５７】
補正部３は、映像信号内の各画像データを、供給の順番と、他の画像データと、に基づいて補正した複数の補正画像データを有する補正信号を、映像信号ごとに出力することによって、FSC方式に起因する階調再現性および色再現性の低下を改善し、かつ、画面内位置による階調再現性および色再現性の差異を低減する。【０１５８】
図６は、補正部３の一例を示したブロック図である。【０１５９】
補正部３は、R色補正部３Ｒ１と、G色補正部３Ｇ１と、B色補正部３Ｂ１と、を有する。【０１６０】
R色補正部３Ｒ１は、R色映像信号と１対１で対応する。【０１６１】
R色補正部３Ｒ１は、R色映像信号、R色の次フィールドの色に対応するG色映像信号、および、タイミング信号（入力フレーム同期タイミングを示す入力フレーム同期タイミング信号と、そのタイミング信号に対応した水平同期タイミングを示す水平同期タイミング信号と、その水平同期タイミング信号に応じた画素クロックタイミングを示す画素クロックタイミング信号）を入力し、R色補正信号を出力する。【０１６２】
G色補正部３Ｇ１は、G色映像信号と１対１で対応する。【０１６３】
G色補正部３Ｇ１は、G色映像信号、G色の次フィールドの色に対応するB色映像信号、および、タイミング信号（入力フレーム同期タイミング信号と、水平同期タイミング信号と、画素クロックタイミング信号）を入力し、G色補正信号を出力する。【０１６４】
B色補正部３Ｂ１は、B色映像信号と１対１で対応する。【０１６５】
B色補正部３Ｂ１は、B色映像信号、B色の次フィールドの色に対応するR色映像信号、および、タイミング信号（入力フレーム同期タイミング信号と、水平同期タイミング信号と、画素クロックタイミング信号）を入力し、B色補正信号を出力する。【０１６６】
G色補正部３Ｇ１は、３つのLUT（Look-up  Table、参照テーブル）格納部３Ｇ１ａ、３Ｇ１ｂおよび３Ｇ１ｃと、選択回路（SEL）３Ｇ１ｄと、を含む。【０１６７】
LUT格納部３Ｇ１ａ、３Ｇ１ｂおよび３Ｇ１ｃのそれぞれは、色補正手段または格納手段と呼ぶことができる。このため、補正部３は、複数の色補正手段または格納手段を含むことになる。【０１６８】
３つのLUT格納部３Ｇ１ａ、３Ｇ１ｂおよび３Ｇ１ｃは、いずれも、G色映像信号およびB色映像信号を入力し、G色補正データを出力する。【０１６９】
LUT格納部３Ｇ１ａ、３Ｇ１ｂおよび３Ｇ１ｃのそれぞれには、供給の順番のうちの所定の順番（以下「対応順番」と称する）が、予め対応づけられている。なお、複数のLUT格納部３Ｇ１ａ、３Ｇ１ｂおよび３Ｇ１ｃのそれぞれに対応づけられた対応順番は、LUT格納部ごとに異なるものである。【０１７０】
本実施形態では、LUT格納部３Ｇ１ａには、供給の順番のうちの最初の順番が対応づけられている。LUT格納部３Ｇ１ｃには、供給の順番のうちの最後の順番が対応づけられている。LUT格納部３Ｇ１ｂには、供給の順番のうちの最初の順番と、供給の順番のうちの最後の順番と、の間の所定の順番が、対応づけられている。【０１７１】
LUT格納部３Ｇ１ａ、３Ｇ１ｂおよび３Ｇ１ｃのそれぞれは、画像データと他の画像データとを受け付けるごとに、画像データを他の画像データと対応順番とに基づいて補正した補正データを出力する。【０１７２】
本実施形態では、LUT格納部３Ｇ１ａ、３Ｇ１ｂおよび３Ｇ１ｃのそれぞれは、画像データおよび他の画像データと、画像データを他の画像データと対応順番とに基づいて補正した補正データと、を互いに関連づけて格納し、画像データおよび他の画像データを受け付けると、その画像データおよび他の画像データに関連づけられた補正データを出力する。【０１７３】
なお、LUT格納部３Ｇ１ａ、３Ｇ１ｂおよび３Ｇ１ｃが、同じ画像データと、同じ他の画像データと、を受け付けた場合、LUT格納部３Ｇ１ａ、３Ｇ１ｂおよび３Ｇ１ｃのそれぞれから出力される補正データは、他のLUT格納部から出力される補正データと概して異なる。【０１７４】
共通の画像データと、その共通の画像データを元にしてLUT格納部３Ｇ１ａ、３Ｇ１ｂおよび３Ｇ１ｃのそれぞれから出力された補正データと、の差を補正量とした場合、本実施形態では、LUT格納部３Ｇ１ａでの補正量は、LUT格納部３Ｇ１ｂおよび３Ｇ１ｃでの補正量よりも概して小さい。また、本実施形態では、LUT格納部３Ｇ１ｂでの補正量は、LUT格納部３Ｇ１ｃでの補正量よりも概して小さい。【０１７５】
選択回路３Ｇ１ｄは、一般的に出力手段と呼ぶことができる。【０１７６】
選択回路３Ｇ１ｄは、入力フレーム同期タイミング信号と、水平同期タイミング信号と、画素クロックタイミング信号と、を入力し、それらのタイミング信号に基づいて、供給の順番を特定する。【０１７７】
選択回路３Ｇ１ｄは、LUT格納部３Ｇ１ａ、３Ｇ１ｂおよび３Ｇ１ｃのそれぞれからの複数の補正データを元にして、供給の順番に基づいて、複数の補正画像データを有する補正信号を作成して出力する。【０１７８】
本実施形態では、選択回路３Ｇ１ｄは、３つのLUT格納部３Ｇ１ａ、３Ｇ１ｂおよび３Ｇ１ｃから各補正データを受け付けるごとに、供給の順番に基づいて、その受け付けられた３つの補正データの中から１つの補正データを補正画像データとして選択して出力する。【０１７９】
R色補正部３Ｒ１についての詳しい説明は、上述したG色補正LUT格納部３Ｇ１の説明のうち、「G色補正部３Ｇ１」を「R色補正部３Ｒ１」に読み替え、「LUT格納部３Ｇ１ａ」を「LUT格納部３Ｒ１ａ」に読み替え、「LUT格納部３Ｇ１ｂ」を「LUT格納部３Ｒ１ｂ」に読み替え、「LUT格納部３Ｇ１ｃ」を「LUT格納部３Ｒ１ｃ」に読み替え、「選択回路３Ｇ１ｄ」を「選択回路３Ｒ１ｄ」に読み替え、「G色映像信号」を「R色映像信号」に読み替え、「B色映像信号」を「G色映像信号」に読み替え、「G色補正信号」を「R色補正信号」に読み替えることによって行うことができる。【０１８０】
B色補正部３Ｂ１についての詳しい説明は、上述したG色補正LUT格納部３Ｇ１の説明のうち、「G色補正部３Ｇ１」を「B色補正部３Ｂ１」に読み替え、「LUT格納部３Ｇ１ａ」を「LUT格納部３Ｂ１ａ」に読み替え、「LUT格納部３Ｇ１ｂ」を「LUT格納部３Ｂ１ｂ」に読み替え、「LUT格納部３Ｇ１ｃ」を「LUT格納部３Ｂ１ｃ」に読み替え、「選択回路３Ｇ１ｄ」を「選択回路３Ｂ１ｄ」に読み替え、「G色映像信号」を「B色映像信号」に読み替え、「B色映像信号」を「R色映像信号」に読み替え、「G色補正信号」を「B色補正信号」に読み替えることによって行うことができる。【０１８１】
ただし、各LUT格納部が補正する特性は、映像信号の色ごとに異ならせることができる。【０１８２】
次に、動作を説明する。【０１８３】
図７は、液晶表示素子２の画面内位置と補正動作との関係を説明するための説明図である。【０１８４】
図７において、画面２ｇは、液晶表示素子２内でマトリクス状に配列された複数の画素２ａにて形成される（図５参照）。【０１８５】
図７では、複数の画素２ａが、画面２ｇの最上部の行から最下部の行への方向に順番に１行ずつ走査され、選択された行の画素２ａに対して、その画素２ａに対応する補正画像データが順番に供給されるとする。【０１８６】
なお、特に断りがない限り、以降は、補正画像データが供給される順番は、画面２ｇの上の行から下の行へ向かう順番とする。【０１８７】
本実施形態では、補正画像データが供給される順番にしたがって、画面２ｇが、３つのエリア２ｇ１、２ｇ２および２ｇ３に分けられる。【０１８８】
まず、G色補正部３Ｇ１の動作を説明する。【０１８９】
LUT格納部３Ｇ１ａ、３Ｇ１ｂおよび３Ｇ１ｃのそれぞれは、画像データと他の画像データとを受け付けるごとに、画像データを他の画像データと対応順番とに基づいて補正した補正データを出力する。【０１９０】
選択回路３Ｇ１ｄは、３つのLUT格納部３Ｇ１ａ、３Ｇ１ｂおよび３Ｇ１ｃから各補正データを受け付けるごとに、供給の順番に基づいて、その受け付けられた３つの補正データの中から１つの補正データを補正画像データとして選択して出力する。【０１９１】
本実施形態では、選択回路３Ｇ１ｄは、エリア２ｇ１内の画素２ａに供給される順番を有する補正データを３つのLUT格納部３Ｇ１ａ、３Ｇ１ｂおよび３Ｇ１ｃのそれぞれから受け付けているときには、LUT格納部３Ｇ１ａからの補正データを選択し、その選択された補正データを、G色補正画像データとして、画像メモリ制御部４ｂに供給する。【０１９２】
選択回路３Ｇ１ｄは、エリア２ｇ２内の画素２ａに供給される順番を有する補正データを３つのLUT格納部３Ｇ１ａ、３Ｇ１ｂおよび３Ｇ１ｃのそれぞれから受け付けているときには、LUT格納部３Ｇ１ｂからの補正データを選択し、その選択された補正データを、G色補正画像データとして、メモリ制御部４ｂに供給する。【０１９３】
選択回路３Ｇ１ｄは、エリア２ｇ３内の画素２ａに供給される順番を有する補正データを３つのLUT格納部３Ｇ１ａ、３Ｇ１ｂおよび３Ｇ１ｃのそれぞれから受け付けているときには、LUT格納部３Ｇ１ｃからの補正データを選択し、その選択された補正データを、G色補正画像データとして、メモリ制御部４ｂに供給する。【０１９４】
R色補正部３Ｒ１の動作は、上述したG色補正部３Ｇ１の動作の説明のうち、「G色補正部３Ｇ１」を「R色補正部３Ｒ１」に読み替え、「LUT格納部３Ｇ１ａ」を「LUT格納部３Ｒ１ａ」に読み替え、「LUT格納部３Ｇ１ｂ」を「LUT格納部３Ｒ１ｂ」に読み替え、「LUT格納部３Ｇ１ｃ」を「LUT格納部３Ｒ１ｃ」に読み替え、「選択回路３Ｇ１ｄ」を「選択回路３Ｒ１ｄ」に読み替え、「G色補正画像データ」を「R色補正画像データ」に読み替えることによって行うことができる。【０１９５】
B色補正部３Ｒ１の動作は、上述したG色補正部３Ｇ１の動作の説明のうち、「G色補正部３Ｇ１」を「B色補正部３Ｂ１」に読み替え、「LUT格納部３Ｇ１ａ」を「LUT格納部３Ｂ１ａ」に読み替え、「LUT格納部３Ｇ１ｂ」を「LUT格納部３Ｂ１ｂ」に読み替え、「LUT格納部３Ｇ１ｃ」を「LUT格納部３Ｂ１ｃ」に読み替え、「選択回路３Ｇ１ｄ」を「選択回路３Ｂ１ｄ」に読み替え、「G色補正画像データ」を「B色補正画像データ」に読み替えることによって行うことができる。【０１９６】
メモリ制御部４ｂは、R色補正信号とG色補正信号とB色補正信号とを受け付けると、R色補正信号とG色補正信号とB色補正信号とを、フレームメモリ４ａ上で、R色補正信号、G色補正信号、B色補正信号の順に並べ替える。【０１９７】
一方、タイミング制御部５ｂは、入力フレーム同期タイミングを示すタイミング信号を入力し、１フレーム期間を３つのカラーフィールド期間に分割した出力フィールド同期タイミングを示すタイミング信号を生成し、データ並べ替え部４と、液晶表示素子２と、照明部５ａと、に出力する。【０１９８】
なお、タイミング制御部５ｂは、出力フィールド同期タイミングに同期した垂直同期信号と共に、出力フィールド同期タイミングに対応した水平同期信号と、補正画像データの供給タイミングを示す転送クロック信号も生成し、それらの信号を、液晶表示素子２に出力する。【０１９９】
データ並べ替え部４では、タイミング制御部５ｂからの２系統のタイミング信号（入力フレーム同期タイミングを示すタイミング信号と出力フィールド同期タイミングを示すタイミング信号）によって、メモリ制御部４ｂは、入力フレーム同期タイミングに同期してフレームメモリ４ａへの書込みを制御し、出力フィールド同期タイミングに同期してフレームメモリ４ａからの読出しを制御する。そして、メモリ制御部４ｂは、フレームメモリ４ａ上の、R色補正信号、G色補正信号およびB色補正信号を、その並び順で、１つずつ順番に、駆動信号として、液晶表示素子２に出力する。【０２００】
液晶表示素子２は、タイミング制御部５ｂからのタイミング信号によって、出力フィールド同期タイミングに同期してデータ並べ替え部４から順次出力されたR色補正信号、G色補正信号およびB色補正信号を入力する。【０２０１】
そして、液晶表示素子２は、色ごとに順次に、タイミング制御部５ｂからの垂直同期信号、水平同期信号および転送クロック信号に同期して、その補正信号内の各補正画像データを、その補正画像データに対応する画素２ａに順番に供給して、各画素２ａの液晶の向き（ダイレクタ）を制御し、色ごとに順次に照射された各色光を、補正画像データの供給によって液晶の向きが制御された複数の画素２ａを用いて変調して、各色の画像を形成する光を順次生成する。【０２０２】
照明部５ａは、タイミング制御部５ｂからのタイミング信号によって、出力フィールド同期タイミングに同期して、R色LEDと、G色LEDと、B色LEDとを、この順番で１つずつ点灯する。【０２０３】
このため、本実施形態では、液晶表示素子２がR色補正信号に応じた画像を形成している際に、照明部５ａがR色LEDを点灯して液晶表示素子２をR色の光で照射し、液晶表示素子２がG色補正信号に応じた画像を形成している際に、照明部５ａがG色LEDを点灯して液晶表示素子２をG色の光で照射し、液晶表示素子２がB色補正信号に応じた画像を形成している際に、照明部５ａがB色LEDを点灯して液晶表示素子２をB色の光で照射する。【０２０４】
本実施形態では、補正部３は、映像信号内の各画像データを供給の順番と他の画像データとに基づいて補正した複数の補正画像データを有する補正信号を、映像信号ごとに出力する。【０２０５】
このため、他の画像データを用いた補正を行うことによって、FSC方式に起因する階調再現性および色再現性の低下を改善することが可能になると共に、供給の順番を用いた補正を行うことによって、画面内位置による階調再現性および色再現性の差異を低減することが可能になる。【０２０６】
本実施形態では、LUT格納部３Ｇ１ａ、３Ｇ１ｂおよび３Ｇ１ｃのそれぞれは、画像データと他の画像データとを受け付けるごとに、画像データを他の画像データと対応順番とに基づいて補正した補正データを出力する。なお、複数のLUT格納部３Ｇ１ａ、３Ｇ１ｂおよび３Ｇ１ｃのそれぞれに対応づけられた対応順番は、LUT格納部ごとに異なる。【０２０７】
選択回路３Ｇ１ｄは、LUT格納部３Ｇ１ａ、３Ｇ１ｂおよび３Ｇ１ｃのそれぞれからの複数の補正データを元に、供給の順番に基づいて、複数の補正画像データを有する補正信号を作成して出力する。【０２０８】
この場合、複数のLUT格納部を用いることによって、補正信号を作成して出力することが可能になる。【０２０９】
また、本実施形態では、LUT格納部３Ｇ１ａ、３Ｇ１ｂおよび３Ｇ１ｃのそれぞれは、画像データおよび他の画像データと、補正データと、を互いに関連づけて格納し、画像データおよび他の画像データを受け付けると、補正データを出力する格納部である。【０２１０】
この場合、例えば、LUTを用いることによって、補正信号を作成して出力することが可能になる。【０２１１】
また、本実施形態では、LUT格納部３Ｇ１ａは、対応順番が供給の順番のうちの最初の順番である第１色補正手段として機能し、LUT格納部３Ｇ１ｃは、対応順番が供給の順番のうちの最後の順番である第２色補正手段として機能する。【０２１２】
この場合、供給タイミングが最も異なる補正画像データの元となる画像データを補正するのに適した特性を有する色補正部を用いることが可能になる。それゆえ、画面内位置に起因する階調再現性や色再現性における最も大きな差異を低減することが可能になる。【０２１３】
また、本実施形態では、LUT格納部３Ｇ１ｂは、対応順番が供給の順番のうちの最初の順番と供給の順番のうちの最後の順番との間の所定の順番である第３色補正手段として機能する。【０２１４】
この場合、画面を３エリアに分けて補正するので、画面を２エリアに分けて補正するよりも更に階調再現性および色再現性の差異を低減することが可能になる。【０２１５】
また、本実施形態では、複数の色補正部のそれぞれ、および、選択回路は、映像信号ごとに設けられている。【０２１６】
この場合、光の波長に起因する液晶表示素子２の透過率特性の違いに応じて、画像データを補正することが可能になる。それゆえ、色再現性をより改善することができる。【０２１７】
このように、本実施形態によれば、画面内位置に応じて映像信号を補正することができるので、画面内位置による階調再現性の差異や色再現性の差異を低減することができる。【０２１８】
また、光の波長による液晶表示素子の透過率特性の違いに応じて補正することができるので、色再現性をより改善することができる。【０２１９】
［第２の実施の形態］
本発明の第２の実施の形態は、例えば、図４に示した液晶表示装置１の補正部３として、図８に示した補正部３１を用いたものである。【０２２０】
図８において、補正部３１は、一般的に補正手段と呼ぶことができる。【０２２１】
補正部３１は、R色補正部３Ｒ２と、G色補正部３Ｇ２と、B色補正部３Ｂ２と、を有する。
R色補正部３Ｒ２は、R色映像信号と１対１で対応する。【０２２２】
R色補正部３Ｒ２は、R色映像信号、R色の次フィールドの色に対応するG色映像信号、および、タイミング信号（入力フレーム同期タイミング信号と、水平同期タイミング信号と、画素クロックタイミング信号）を入力し、R色補正信号を出力する。【０２２３】
G色補正部３Ｇ２は、G色映像信号と１対１で対応する。【０２２４】
G色補正部３Ｇ２は、G色映像信号、G色の次フィールドの色に対応するB色映像信号、および、タイミング信号（入力フレーム同期タイミング信号と、水平同期タイミング信号と、画素クロックタイミング信号）を入力し、G色補正信号を出力する。【０２２５】
B色補正部３Ｂ２は、B色映像信号と１対１で対応する。【０２２６】
B色補正部３Ｂ２は、B色映像信号、B色の次フィールドの色に対応するR色映像信号、および、タイミング信号（入力フレーム同期タイミング信号と、水平同期タイミング信号と、画素クロックタイミング信号）を入力し、B色補正信号を出力する。【０２２７】
G色補正部３Ｇ２は、２つのLUT格納部３Ｇ２ａおよび３Ｇ２ｂと、補間演算部３Ｇ２ｃと、を含む。【０２２８】
LUT格納部３Ｇ２ａおよび３Ｇ２ｂのそれぞれは、色補正手段または格納手段と呼ぶことができる。このため、補正部３１は、複数の色補正手段または格納手段を含むことになる。【０２２９】
２つのLUT格納部３Ｇ２ａおよび３Ｇ２ｂは、いずれも、G色映像信号およびB色映像信号を入力し、G色補正データを出力する。【０２３０】
LUT格納部３Ｇ２ａおよび３Ｇ２ｂのそれぞれには、対応順番が予め対応づけられている。なお、複数のLUT格納部３Ｇ２ａおよび３Ｇ２ｂのそれぞれに対応づけられた対応順番は、LUT格納部ごとに異なるものである。【０２３１】
本実施形態では、LUT格納部３Ｇ２ａには、供給の順番のうちの最初の順番が対応づけられている。LUT格納部３Ｇ２ｂには、供給の順番のうちの最後の順番が対応づけられている。【０２３２】
LUT格納部３Ｇ２ａおよび３Ｇ２ｂのそれぞれは、画像データと他の画像データとを受け付けるごとに、画像データを他の画像データと対応順番とに基づいて補正した補正データを出力する。【０２３３】
本実施形態では、LUT格納部３Ｇ２ａおよび３Ｇ２ｂのそれぞれは、画像データおよび他の画像データと、画像データを他の画像データと対応順番とに基づいて補正した補正データと、を互いに関連づけて格納し、画像データおよび他の画像データを受け付けると、その画像データおよび他の画像データに関連づけられた補正データを出力する。【０２３４】
なお、LUT格納部３Ｇ２ａおよび３Ｇ２ｂが、同じ画像データと、同じ他の画像データと、を受け付けた場合、LUT格納部３Ｇ２ａおよび３Ｇ２ｂのそれぞれから出力される補正データは、他のLUT格納部から出力される補正データと概して異なる。【０２３５】
共通の画像データと、その共通の画像データを元にしてLUT格納部３Ｇ２ａおよび３Ｇ２ｂのそれぞれから出力された補正データと、の差を補正量とした場合、本実施形態では、LUT格納部３Ｇ２ａでの補正量は、LUT格納部３Ｇ２ｂでの補正量よりも概して小さい。【０２３６】
補間演算部３Ｇ２ｃは、一般的に出力手段と呼ぶことができる。【０２３７】
補間演算部３Ｇ２ｃは、入力フレーム同期タイミング信号と、水平同期タイミング信号と、画素クロックタイミング信号と、を入力し、それらのタイミング信号に基づいて、供給の順番を特定する。【０２３８】
補間演算部３Ｇ２ｃは、LUT格納部３Ｇ２ａおよび３Ｇ２ｂのそれぞれからの複数の補正データを元に、供給の順番に基づいて、複数の補正画像データを有する補正信号を作成して出力する。【０２３９】
本実施形態では、補間演算部３Ｇ２ｃは、供給の順番が、LUT格納部３Ｇ２ａまたは３Ｇ２ｂに対応づけられた対応順番と異なる場合、LUT格納部３Ｇ２ａおよび３Ｇ２ｂのそれぞれからの複数の補正データを元に、複数の補正画像データを有する補正信号を、補間演算によって作成して出力する。【０２４０】
補間演算部３Ｇ２ｃは、係数生成部３Ｇ２ｄと、２つの乗算器３Ｇ２ｅおよび３Ｇ２ｆと、加算器３Ｇ２ｇと、を有する。【０２４１】
補間演算部３Ｇ２ｃは、２つのLUT格納部３Ｇ２ａおよび３Ｇ２ｂのそれぞれから出力された補正データを入力し、各補正データに、その補正データの順番に応じた所定の係数を乗じ、それら乗算結果を加算し、その加算結果を、G色補正画像データとして出力する。【０２４２】
係数生成部３Ｇ２ｄは、入力フレーム同期タイミング信号と、水平同期タイミング信号と、画素クロックタイミング信号と、に基づいて、G色補正画像データの順番に応じた所定の係数を生成し、その係数を、乗算器３Ｇ２ｅおよび３Ｇ２ｆに出力する。【０２４３】
乗算器３Ｇ２ｅは、LUT格納部３Ｇ２ａからの補正データに、係数生成部３Ｇ２ｄからの係数を乗じ、その乗算結果を、加算器３Ｇ２ｇに出力する。【０２４４】
乗算器３Ｇ２ｆは、LUT格納部３Ｇ２ｂからの補正データに、係数生成部３Ｇ２ｄからの係数を乗じ、その乗算結果を、加算器３Ｇ２ｇに出力する。【０２４５】
加算器３Ｇ２ｇは、乗算器３Ｇ２ｅの乗算結果と、乗算器３Ｇ２ｆの乗算結果と、を加算し、その加算結果を、G色補正画像データとして出力する。【０２４６】
R色補正部３Ｒ２についての詳しい説明は、上述したG色補正部３Ｇ２の説明のうち、「G色補正部３Ｇ２」を「R色補正部３Ｒ２」に読み替え、「LUT格納部３Ｇ２ａ」を「LUT格納部３Ｒ２ａ」に読み替え、「LUT格納部３Ｇ２ｂ」を「LUT格納部３Ｒ２ｂ」に読み替え、「補間演算部３Ｇ２ｃ」を「補間演算部３Ｒ２ｃ」に読み替え、「G色映像信号」を「R色映像信号」に読み替え、「B色映像信号」を「G色映像信号」に読み替え、「G色補正信号」を「R色補正信号」に読み替え、「係数生成部３Ｇ２ｄ」を「係数生成部３Ｒ２ｄ」に読み替え、「乗算器３Ｇ２ｅ」を「乗算器３Ｒ２ｅ」に読み替え、「乗算器３Ｇ２ｆ」を「乗算器３Ｒ２ｆ」に読み替え、「加算器３Ｇ２ｇ」を「加算器３Ｒ２ｇ」に読み替え、「G色補正画像データ」を「R色補正画像データ」に読み替えることによって行うことができる。【０２４７】
B色補正部３Ｂ２についての詳しい説明は、上述したG色補正部３Ｇ２の説明のうち、「G色補正部３Ｇ２」を「B色補正部３Ｂ２」に読み替え、「LUT格納部３Ｇ２ａ」を「LUT格納部３Ｂ２ａ」に読み替え、「LUT格納部３Ｇ２ｂ」を「LUT格納部３Ｂ２ｂ」に読み替え、「補間演算部３Ｇ２ｃ」を「補間演算部３Ｂ２ｃ」に読み替え、「G色映像信号」を「B色映像信号」に読み替え、「B色映像信号」を「R色映像信号」に読み替え、「G色補正信号」を「B色補正信号」に読み替え、「係数生成部３Ｇ２ｄ」を「係数生成部３Ｂ２ｄ」に読み替え、「乗算器３Ｇ２ｅ」を「乗算器３Ｂ２ｅ」に読み替え、「乗算器３Ｇ２ｆ」を「乗算器３Ｂ２ｆ」に読み替え、「加算器３Ｇ２ｇ」を「加算器３Ｂ２ｇ」に読み替え、「G色補正画像データ」を「B色補正画像データ」に読み替えることによって行うことができる。【０２４８】
図９は、画面内位置と補正動作との関係を説明するための説明図である。【０２４９】
本実施形態では、図９に示すように、画面２ｇ内の最上部の行に存在する画素２ａ（複数の画素２ａのうち、補正画像データが最初に供給される行に存在する画素２ａ）に、LUT格納部３Ｇ２ａ、３Ｒ２ａおよび３Ｂ２ａのそれぞれから出力された補正データが、補正画像データとして供給される。【０２５０】
また、図９に示すように、画面２ｇ内の最下部の行に存在する画素２ａ（複数の画素２ａのうち、補正画像データが最後に供給される行に存在する画素２ａ）に、LUT格納部３Ｇ２ｂ、３Ｒ２ｂおよび３Ｂ２ｂのそれぞれから出力された補正データが、補正画像データとして供給される。【０２５１】
また、図９に示すように、画面２ｇ内の最上部の行と最下部の行との間の行には、その行に応じて補間演算された補間演算結果が供給される。【０２５２】
係数生成部３Ｇ２ｄは、乗算器３Ｇ２ｅに供給する係数として、例えば、供給の順番が最初であるときは「１」となり、供給の順番が最後であるときは「０」となり、供給の順番が遅くなるにつれて「１」から「０」に向けて徐々に小さくなる係数を用いる。【０２５３】
係数生成部３Ｇ２ｄは、乗算器３Ｇ２ｆに供給する係数として、例えば、供給の順番が最初であるときは「０」となり、供給の順番が最後であるときは「１」となり、供給の順番が遅くなるにつれて「０」から「１」に向けて徐々に大きくなる係数を用いる。【０２５４】
なお、R色補正部３Ｒ２内の係数生成部、および、B色補正部３Ｂ２内の係数生成部も、係数生成部３Ｇ２ｄと同様に動作する。【０２５５】
本実施形態によれば、補間演算部３Ｇ２ｃは、供給の順番が対応順番と異なる場合、LUT格納部３Ｇ２ａおよび３Ｇ２ｂからの複数の補正データを元に、複数の補正画像データを有する補正信号を、補間演算によって作成して出力する。【０２５６】
このため、多くのLUT格納部を具備することなくあらゆる順番の画像データを補正することができる。それゆえ、回路規模を大きくすることなく、画面内位置に起因する階調再現性や色再現性の差異を精度よく低減することができる。【０２５７】
また、最も供給タイミング差の大きい画面内位置にある画素に、LUTを適用したので、画面内位置による階調再現性や色再現性の最も大きな差異を低減することができる。さらに、補間演算を併用したので、少ないLUT格納部でも、画面内位置による階調再現性や色再現性の差異を精度よく低減することができる。【０２５８】
また、補正部３として、図１０に示す補正部３２が用いられてもよい。【０２５９】
図１０に示す補正部３２と図８に示す補正部３１との違いは、各色の色補正部に入力される映像信号をそれぞれ３色としたことである。【０２６０】
そのことによって、G色映像信号を補正するために、G色映像信号と次フィールドの色に対応するB色映像信号と前フィールドの色に対応するR色映像信号を参照することが可能になり、より精度よく補正を行うことができる。【０２６１】
［第３の実施の形態］
本発明の第３の実施の形態は、図８に示したG色補正部３Ｇ２の代わりに、図１１に示したG色補正部３Ｇ４が用いられたものである。【０２６２】
G色補正部３Ｇ４は、G色映像信号と１対１で対応する。【０２６３】
G色補正部３Ｇ４は、G色映像信号、G色の次フィールドの色に対応するB色映像信号、および、タイミング信号（入力フレーム同期タイミング信号と、水平同期タイミング信号と、画素クロックタイミング信号）を入力し、G色補正信号を出力する。【０２６４】
G色補正部３Ｇ４は、３つのLUT格納部３Ｇ４ａ、３Ｇ４ｂおよび３Ｇ４ｃと、２つの選択回路３Ｇ４ｅおよび３Ｇ４ｆと、選択回路制御部（SEL制御部）３Ｇ４ｇと、補間演算部３Ｇ２ｃと、を有する。選択回路３Ｇ４ｅおよび３Ｇ４ｆと、選択回路制御部３Ｇ４ｇと、補間演算部３Ｇ２ｃとは、出力部３Ｇ４ｈに含まれる。【０２６５】
LUT格納部３Ｇ４ａ、３Ｇ４ｂおよび３Ｇ４ｃのそれぞれは、色補正手段または格納手段と呼ぶことができる。【０２６６】
３つのLUT格納部３Ｇ４ａ、３Ｇ４ｂおよび３Ｇ４ｃは、いずれも、G色映像信号およびB色映像信号を入力し、G色補正データを出力する。【０２６７】
LUT格納部３Ｇ４ａ、３Ｇ４ｂおよび３Ｇ４ｃのそれぞれには、対応順番が、予め対応づけられている。なお、複数のLUT格納部３Ｇ４ａ、３Ｇ４ｂおよび３Ｇ４ｃのそれぞれに対応づけられた対応順番は、LUT格納部ごとに異なるものである。【０２６８】
本実施形態では、LUT格納部３Ｇ４ａには、供給の順番のうちの最初の順番が対応づけられている。LUT格納部３Ｇ４ｃには、供給の順番のうちの最後の順番が対応づけられている。LUT格納部３Ｇ４ｂには、供給の順番のうちの最初の順番と、供給の順番のうちの最後の順番と、の間の所定の順番が、対応づけられている。【０２６９】
LUT格納部３Ｇ４ａ、３Ｇ４ｂおよび３Ｇ４ｃのそれぞれは、画像データと他の画像データとを受け付けるごとに、画像データを他の画像データと対応順番とに基づいて補正した補正データを出力する。【０２７０】
本実施形態では、LUT格納部３Ｇ４ａ、３Ｇ４ｂおよび３Ｇ４ｃのそれぞれは、画像データおよび他の画像データと、画像データを他の画像データと対応順番とに基づいて補正した補正データと、を互いに関連づけて格納し、画像データおよび他の画像データを受け付けると、その画像データおよび他の画像データに関連づけられた補正データを出力する。【０２７１】
なお、LUT格納部３Ｇ４ａ、３Ｇ４ｂおよび３Ｇ４ｃが、同じ画像データと、同じ他の画像データと、を受け付けた場合、LUT格納部３Ｇ４ａ、３Ｇ４ｂおよび３Ｇ４ｃのそれぞれから出力される補正データは、他のLUT格納部から出力される補正データと概して異なる。【０２７２】
共通の画像データと、その共通の画像データを元にしてLUT格納部３Ｇ４ａ、３Ｇ４ｂおよび３Ｇ４ｃのそれぞれから出力された補正データと、の差を補正量とした場合、本実施形態では、LUT格納部３Ｇ４ａでの補正量は、LUT格納部３Ｇ４ｂおよび３Ｇ４ｃでの補正量よりも概して小さい。また、本実施形態では、LUT格納部３Ｇ４ｂでの補正量は、LUT格納部３Ｇ４ｃでの補正量よりも概して小さい。【０２７３】
出力部３Ｇ４ｈは、一般的に出力手段と呼ぶことができる。【０２７４】
出力部３Ｇ４ｈは、入力フレーム同期タイミング信号と、水平同期タイミング信号と、画素クロックタイミング信号と、を入力し、それらのタイミング信号に基づいて、供給の順番を特定する。【０２７５】
出力部３Ｇ４ｈは、LUT格納部３Ｇ４ａ、３Ｇ４ｂおよび３Ｇ４ｃのそれぞれからの複数の補正データを元に、供給の順番に基づいて、複数の補正画像データを有する補正信号を作成して出力する。【０２７６】
選択回路３Ｇ４ｅは、選択回路制御部３Ｇ４ｇからの制御に応じて、２つのLUT格納部３Ｇ４ａおよび３Ｇ４ｂのそれぞれからの補正データのうち、一方の補正データを選択する。【０２７７】
選択回路３Ｇ４ｆは、選択回路制御部３Ｇ４ｇからの制御に応じて、２つのLUT格納部３Ｇ４ｂおよび３Ｇ４ｃのそれぞれからの補正データのうち、一方の補正データを選択する。【０２７８】
補間演算部３Ｇ２ｃは、入力フレーム同期タイミング信号と、水平同期タイミング信号と、画素クロックタイミング信号と、を入力し、それらのタイミング信号に基づいて、供給の順番を特定する。【０２７９】
補間演算部３Ｇ２ｃは、２つの選択回路３Ｇ４ｅおよび３Ｇ４ｆのそれぞれからの複数の補正データを元に、供給の順番に基づいて、複数の補正画像データを有する補正信号を作成して出力する。【０２８０】
本実施形態では、補間演算部３Ｇ２ｃは、供給の順番が、LUT格納部３Ｇ４ａ、３Ｇ４ｂまたは３Ｇ４ｃに対応づけられた対応順番と異なる場合、選択回路３Ｇ４ｅおよび３Ｇ４ｆのそれぞれからの複数の補正データを元に、複数の補正画像データを有する補正信号を、補間演算によって作成して出力する。【０２８１】
選択回路制御部３Ｇ４ｇは、入力フレーム同期タイミング信号と、水平同期タイミング信号と、画素クロックタイミング信号と、に基づいて、補正データの順番を特定し、その順番に基づいて、２つの選択回路３Ｇ４ｅおよび３Ｇ４ｆを制御する。【０２８２】
図１２は、画面内位置と補正動作との関係を説明するための説明図である。【０２８３】
本実施形態では、図１２に示すように、画面２ｇ内の最上部の行に存在する画素２ａに、LUT格納部３Ｇ４ａから出力された補正データが補正画像データとして供給されるように、出力部３Ｇ４ｈ（具体的には、選択回路制御部３Ｇ４ｇ、選択回路３Ｇ４ｅと３Ｇ４ｆ、および、補間演算部３Ｇ２ｃ）が動作する。【０２８４】
また、図１２に示すように、画面２ｇ内の最上部の行と下方のエリアとの間の所定の行（以下「所定行」と称する）に存在する画素２ａに、LUT格納部３Ｇ４ｂから出力された補正データが補正画像データとして供給されるように、出力部３Ｇ４ｈが動作する。【０２８５】
また、図１２に示すように、画面２ｇ内の下方のエリアに属する行に存在する画素２ａに、LUT格納部３Ｇ４ｃから出力された補正データが補正画像データとして供給されるように、出力部３Ｇ４ｈが動作する。【０２８６】
また、図１２に示すように、画面２ｇ内の最上部の行と所定行との間に存在する行内の画素２ａに、その画素２ａが存在する行の位置に応じて補間演算された補正画像データが供給されるように、出力部３Ｇ４ｈが動作する。なお、この補間演算は、図８での補間演算に準じたものである。【０２８７】
また、図１２に示すように、画面２ｇ内の所定行と下方のエリアとの間に存在する行内の画素２ａに、その画素２ａが存在する行の位置に応じて補間演算された補正画像データが供給されるように、出力部３Ｇ４ｈが動作する。なお、この補間演算は、図８での補間演算に準じたものである。【０２８８】
図８に示す構成と比較すると、所定行内の画素２ａに適した補正データを出力するLUT格納部を含むため、画面内位置による階調再現性や色再現性の差異をより効果的に低減することができる。【０２８９】
［第４の実施の形態］
本発明の第４の実施の形態は、例えば、図４に示した液晶表示装置１の補正部３として、図１３に示した補正部３３を用いたものである。【０２９０】
図１３において、補正部３３は、一般的に補正手段と呼ぶことができる。【０２９１】
補正部３３は、２つの時分割多重回路（MUX）３３ａおよび３３ｂと、多色補正部３３ｃと、デマルチプレクサ（Demultiplexer）３３ｄと、を有する。多色補正部３３ｃは、図１１に示したG色補正部３Ｇ４と同様の構成である。【０２９２】
時分割多重回路（MUX）３３ａおよび３３ｂは、切替部３３ｅに含まれる。【０２９３】
切替部３３ｅは、一般的に切替手段と呼ぶことができる。【０２９４】
切替部３３ｅは、複数の映像信号を受け付けると、画像データと他の画像データとを、映像信号ごとに切り替えながら、時分割で、複数のLUT格納部３Ｇ４ａ、３Ｇ４ｂおよび３Ｇ４ｃに出力する。【０２９５】
２つの時分割多重回路３３ａおよび３３ｂのそれぞれは、入力フレーム同期タイミング信号と、水平同期タイミング信号と、画素クロックタイミング信号と、を入力し、それらのタイミング信号に基づいて、R色映像信号（画像データ）、G色映像信号（画像データ）、B色映像信号（画像データ）を択一的に選択して出力する。【０２９６】
この際の選択切替レートは、画素クロックタイミング信号の３倍であり、つまり、R色映像信号、G色映像信号、B色映像信号を、それらの信号のクロック速度の３倍速で時分割多重する。【０２９７】
多色補正部３３は、図１１に示したG色補正部３Ｇ４と同様の構成であるが、G色補正部３Ｇ４の３倍のレートで動作し、  R色補正信号（補正画像データ）、G色補正信号（補正画像データ）、B色補正信号（補正画像データ）を、時分割で出力する。【０２９８】
デマルチプレクサ（Demultiplexer）３３ｄは、多色補正部３３ｃから出力される時分割多重された各色の補正信号を分離して、R色補正信号、G色補正信号、B色補正信号を並列に出力する。【０２９９】
図１４は、画面内位置と補正動作との関係を説明するための説明図である。【０３００】
本実施形態では、図１４に示すように、画面２ｇ内の上方のエリアに存在する画素２ａに、LUT格納部３Ｇ４ａから出力された補正データが補正画像データとして供給されるように、色補正部３３が動作する。【０３０１】
また、図１４に示すように、画面２ｇ内の所定行に存在する画素２ａに、LUT格納部３Ｇ４ｂから出力された補正データが補正画像データとして供給されるように、色補正部３３が動作する。【０３０２】
また、図１４に示すように、画面２ｇ内の下方のエリアに存在する画素２ａに、LUT格納部３Ｇ４ｃから出力された補正データが補正画像データとして供給されるように、色補正部３３が動作する。【０３０３】
また、図１４に示すように、画面２ｇ内の上方のエリアと所定行との間に存在する行内の画素２ａに、その画素２ａが存在する行の位置に応じて補間演算された補正画像データが供給されるように、色補正部３３が動作する。なお、この補間演算は、図８での補間演算に準じたものである。【０３０４】
また、図１４に示すように、画面２ｇ内の所定行と下方のエリアとの間に存在する行内の画素２ａに、その画素２ａが存在する行の位置に応じて補間演算された補正画像データが供給されるように、色補正部３３が動作する。なお、この補間演算は、図８での補間演算に準じたものである。【０３０５】
なお、上方のエリアと、所定行と、下方のエリアは、各色の映像信号に応じて変更してある。【０３０６】
本実施形態によれば、切替部３３ｅは、複数の映像信号を受け付けると、画像データと他の画像データとを、映像信号ごとに切り替えながら、時分割で、複数のLUT格納部３Ｇ４ａ、３Ｇ４ｂおよび３Ｇ４ｃに出力する。【０３０７】
こうすることによって、  R色，G色，B色の映像信号を補正するために、共通のLUT格納部を使用しつつ、LUT格納部からの補正データを適用する画素を、映像信号の色によって変えることができる。このため、小さな回路規模で、画面内位置による階調再現性や色再現性の差異を低減することができる。【０３０８】
［他の実施の形態］
映像信号の色によってLUTの数を変えてもよい。液晶表示素子２の光の透過率特性が光の波長によって異なるので、回路規模と補正の精度との兼ね合いで、所望の構成とすることができる。【０３０９】
補間演算は、線形補間でも非線形補間でもよい。線形補間が用いられた場合、非線形補間が用いられた場合よりも、補間演算部の構成を小さくすることが可能になる。非線形補間が用いられた場合、線形補間が用いられた場合よりも、精度よく映像信号を補正することできる。【０３１０】
上記各実施形態は、液晶表示素子２がノーマリホワイトの構成でも、ノーマリブラックの構成でも適用できる。【０３１１】
上記各実施形態は、FSC方式においてカラーフィールドが、R，G，Bの３色でなくても適用できる。【０３１２】
以上、各実施形態を参照して本願発明を説明したが、本願発明は上記実施形態に限定されるものではない。本願発明の構成や詳細には、本願発明のスコープ内で当業者が理解し得る様々な変更をすることができる。
【図１】
0005413987.tif 000002
【図２】
0005413987.tif 000003
【図３】
0005413987.tif 000004
【図４】
0005413987.tif 000005
【図５】
0005413987.tif 000006
【図６】
0005413987.tif 000007
【図７】
0005413987.tif 000008
【図８】
0005413987.tif 000009
【図９】
0005413987.tif 000010
【図１０】
0005413987.tif 000011
【図１１】
0005413987.tif 000012
【図１２】
0005413987.tif 000013
【図１３】
0005413987.tif 000014
【図１４】
0005413987.tif 000015